(57)【要約】      （修正有）【課題】電源のオン状態でレンズのロック／ロック解除が可能な監視カメラであって、ロック状態で電源が停電等でオフしてもレンズのロック解除を可能にする。【解決手段】レンズユニットをロックするロック機構は、機器本体に取り付けられた状態のレンズユニットに係合する位置と係合しない位置との間を移動可能なロック部材１２と、ロック部材１２がレンズユニットに係合した状態で、操作部材３の押し込み操作により押し込まれる第１領域１１ｂと押し込まれない第２領域１１ｃとの間を移動可能なロック部材１１とからなり、電源オフの磁力が発生していない状態において操作部材３の押し込み操作が行われると、操作部材３により第１領域１１ｂが押し込まれることで、ロック部材１１はロック部材１２とともに押し込まれた方向に移動してロック部材１２をレンズユニットに係合しない位置に移動させる。【選択図】図５
2018013570.tif 000002
【特許請求の範囲】
【請求項１】
機器本体と、
前記機器本体に着脱可能に取り付けられる交換ユニットと、
前記機器本体に設けられ、前記機器本体に前記交換ユニットが取り付けられた状態で前記交換ユニットをロックするロック機構と、
前記機器本体に設けられ、ユーザにより押し込み操作されることで、前記ロック機構による前記交換ユニットのロックを解除する操作部材と、を備え、
前記ロック機構は、
前記機器本体に取り付けられた状態の前記交換ユニットに係合する位置と係合しない位置との間を移動可能な第１ロック部材と、
前記第１ロック部材が前記交換ユニットに係合した状態で、前記第１ロック部材に対して、前記操作部材の押し込み操作により押し込まれる第１領域と押し込まれない第２領域との間を移動可能な第２ロック部材と、
前記第１領域が前記操作部材に対向する位置に移動するように、前記第２ロック部材を付勢する付勢部材と、
前記第２領域が前記操作部材に対向する位置に前記付勢部材の付勢力に抗して移動するように、通電制御により前記第２ロック部材との間に磁力を発生させる磁力発生手段と、を有し、
前記第２ロック部材は、前記磁力発生手段への非通電制御により前記磁力が発生していない状態で前記操作部材の押し込み操作により前記第１領域が押し込まれることで、前記第１ロック部材とともに押し込まれた方向に移動して前記第１ロック部材を前記交換ユニットに係合しない位置に移動させることを特徴とする電子機器。
【請求項２】
前記第２領域は、前記第２ロック部材に形成された切り欠き部であることを特徴とする請求項１に記載の電子機器。
【請求項３】
前記磁力発生手段は、前記第２ロック部材に設けられたマグネットと、前記マグネットに対向して配置され、通電／非通電の切り替え制御が行われるコイルであることを特徴とする請求項１又は２に記載の電子機器。
【請求項４】
前記機器本体は、撮像部を有する監視カメラのカメラ本体であり、前記交換ユニットは、前記カメラ本体に着脱可能に取り付けられるレンズユニットであることを特徴とする請求項１乃至３のいずれか一項に記載の電子機器。
【請求項５】
前記レンズユニットは、前記カメラ本体に対して回転させることでバヨネット結合され、前記第１ロック部材は、前記レンズユニットがバヨネット結合された状態で前記レンズユニットに係合して前記レンズユニットの回転を規制する位置と係合しない位置との間を移動可能に構成されていることを特徴とする請求項４に記載の電子機器。
【請求項６】
請求項４又は５に記載の電子機器と、前記電子機器に通信手段を介して通信可能に接続され、前記撮像部で撮像された画像を取得する監視装置とを備えることを特徴とする監視システム。
【請求項７】
前記監視装置は、前記電子機器に対して前記磁力発生手段への通電／非通電の切り替え制御を指示することを特徴とする請求項６に記載の監視システム。
【発明の詳細な説明】
【技術分野】
【０００１】
本発明は、例えばレンズユニット等の交換ユニットがカメラ本体等の機器本体に対して着脱可能に装着される監視カメラ等の撮像装置を含む電子機器に関し、特に機器本体に対する交換ユニットのロック機構の改良に関する。
【背景技術】
【０００２】
屋外や店内等に設置される監視カメラでは、用途に応じて撮影画角等を変更するために、カメラ本体に対してレンズユニットを交換可能にしたものがある。監視カメラで撮影された画像は、通信回線を介して遠隔地でモニタリングされたり、サーバに録画されたりするが、監視カメラの設置場所によっては、レンズユニットがいたずら等により取り外されたり、盗難されたりするのを防止する必要がある。
【０００３】
従来、レンズユニットをロックするロックピンに指紋センサを搭載し、レンズ交換時には指紋の照合を行ったうえでロックを解除する技術が開示されている（特許文献１）。また、三脚座を備えた交換レンズ装置の三脚座の内部に盗難防止部材を装着可能なロック装着部を設けた技術が開示されている（特許文献２）。
【先行技術文献】
【特許文献】
【０００４】
【特許文献１】特開２０１２−１５９６２７号公報
【特許文献２】特開２０１２−３７６９３号公報
【発明の概要】
【発明が解決しようとする課題】
【０００５】
しかし、上記特許文献１では、指紋の照合でレンズユニットのロックを解除するので、停電等で監視カメラの電源がオフしてしまうと、指紋認証が機能しなくなり、カメラ本体から交換レンズを取り外すことができなくなる。この場合、電源が復旧するまでレンズユニットの交換が不可能となり、作業性が低下する。また、上記特許文献２では、三脚座を備えていない交換レンズ装置に対しては対応することができない。
【０００６】
そこで、本発明は、電源のオン状態で機器本体に対する交換ユニットのロック／ロック解除が可能な電子機器であって、ロック状態で電源が停電等でオフしても機器本体に対する交換ユニットのロック解除を可能にする技術を提供することを目的とする。
【課題を解決するための手段】
【０００７】
上記目的を達成するために、本発明の電子機器は、機器本体と、前記機器本体に着脱可能に取り付けられる交換ユニットと、前記機器本体に設けられ、前記機器本体に前記交換ユニットが取り付けられた状態で前記交換ユニットをロックするロック機構と、前記機器本体に設けられ、ユーザにより押し込み操作されることで、前記ロック機構による前記交換ユニットのロックを解除する操作部材と、を備え、前記ロック機構は、前記機器本体に取り付けられた状態の前記交換ユニットに係合する位置と係合しない位置との間を移動可能な第１ロック部材と、前記第１ロック部材が前記交換ユニットに係合した状態で、前記第１ロック部材に対して、前記操作部材の押し込み操作により押し込まれる第１領域と押し込まれない第２領域との間を移動可能な第２ロック部材と、前記第１領域が前記操作部材に対向する位置に移動するように、前記第２ロック部材を付勢する付勢部材と、前記第２領域が前記操作部材に対向する位置に前記付勢部材の付勢力に抗して移動するように、通電制御により前記第２ロック部材との間に磁力を発生させる磁力発生手段と、を有し、前記第２ロック部材は、前記磁力発生手段への非通電制御により前記磁力が発生していない状態で前記操作部材の押し込み操作により前記第１領域が押し込まれることで、前記第１ロック部材とともに押し込まれた方向に移動して前記第１ロック部材を前記交換ユニットに係合しない位置に移動させることを特徴とする。
【発明の効果】
【０００８】
本発明によれば、電源のオン状態で機器本体に対する交換ユニットのロック／ロック解除が可能な電子機器であって、ロック状態で電源が停電等でオフしても機器本体に対する交換ユニットのロック解除を可能にして容易に交換ユニットを取り外すことができる。
【図面の簡単な説明】
【０００９】
【図１】（ａ）は本発明の電子機器の実施形態の一例である監視カメラの正面側斜視図、（ｂ）は（ａ）に示す監視カメラからレンズユニットを取り外した状態を示す正面側斜視図である。
【図２】ロックピンの動作を説明する要部断面図である。
【図３】監視カメラを通信手段を介して外部の監視装置と通信可能に接続して構成した画像の監視システムの概略構成を示す制御ブロック図である。
【図４】ロックピンを進退移動させてカメラ本体に対するレンズユニットのロック／ロック解除を行うロック機構を説明する斜視図である。
【図５】（ａ）はコイルが磁力を発生していない状態でのロック部材及びロックピン部材を光軸方向被写体側から見た図、（ｂ）は（ａ）の矢印Ｃ方向から見た図である。
【図６】（ａ）はコイルが磁力を発生した状態でのロック部材及びロックピン部材を光軸方向被写体側から見た図、（ｂ）は（ａ）の矢印Ｄ方向から見た図である。
【発明を実施するための形態】
【００１０】
以下、図面を参照して、本発明の実施形態の一例を説明する。
【００１１】
図１（ａ）は本発明の電子機器の実施形態の一例である監視カメラの正面側斜視図、図１（ｂ）は図１（ａ）に示す監視カメラからレンズユニットを取り外した状態を示す正面側斜視図である。
【００１２】
本実施形態の監視カメラは、図１に示すように、カメラ本体２の正面側（被写体側）に交換式のレンズユニット１が着脱可能に装着される。カメラ本体２の正面側には、レンズユニット１が装着されるマウント部５が設けられ、マウント部５の被写体側の面には、カメラ本体２に対するレンズユニット１のロック／ロック解除を行うロックピン１２ａが光軸方向に進退可能（出没可能）に配置されている。カメラ本体２は、本発明の機器本体の一例に相当し、レンズユニット１は、本発明の交換ユニットの一例に相当する。
【００１３】
また、カメラ本体２のマウント部５の図１（ｂ）の右側には、レンズユニット１のロックを解除する際に押し込み操作する操作部材３が設けられている。操作部材３は、後述する付勢ばね１３（図４参照）によって光軸方向被写体側（図１（ａ）のｚ方向）に付勢されている。カメラ本体２のマウント部５の内周側には、レンズユニット１が装着された際に、レンズユニット１の不図示の爪部がバヨネット結合される爪部５ａが周方向に略等間隔で３箇所設けられている。
【００１４】
図２は、ロックピン１２ａの動作を説明する要部断面図である。図２に示す状態では、ロックピン１２ａは、光軸方向被写体側（図２の矢印Ａ方向）に突出してレンズユニット１に形成された挿入穴１ａに挿入されて係合している。この状態では、レンズユニット１は、カメラ本体２に対して回転が規制されてバヨネット結合が維持される。
【００１５】
図２に示す状態で、操作部材３を押し込み操作すると、押し込み動作に連動してロックピン１２ａが図２の矢印Ａ方向と逆方向（矢印Ｂ方向）に移動してマウント部５の被写体側の面から退避し、レンズユニット１の挿入穴１ａから離脱する。この状態では、カメラ本体２に対するレンズユニット１の回転規制が解除される。このため、レンズユニット１を回転操作してバヨネット結合を解除することで、カメラ本体２からレンズユニット１を取り外してレンズユニットを交換することができる。カメラ本体２にレンズユニット１を装着する動作は、上記と逆の動作となる。なお、ロックピン１２ａの動作の詳細については、図５及び図６を用いて後述する。
【００１６】
図３は、本実施形態の監視カメラのカメラ本体２を外部のサーバ等の監視装置７とネットワーク等の通信手段を介して通信可能に接続して構成した画像の監視システムの概略構成を示す制御ブロック図である。
【００１７】
図３において、監視装置７は、サーバ等で構成され、ネットワーク等の通信手段を介してカメラ本体２のシステム制御部８と通信可能に接続され、監視カメラを遠隔から操作することができる。カメラ本体２は、システム制御部８、撮像部９及びコイル１０を備えている。システム制御部８は、ＣＰＵ、ＲＯＭ及びＲＡＭ等を含み、レンズユニット１、撮像部９及びコイル１０等の監視カメラ全体の動作を制御し、監視装置７からの指示に基づく監視カメラの動作も制御する。
【００１８】
例えば、システム制御部８は、監視装置７からの撮影指示に応じて撮像部９で撮像された画像を取得し、ネットワーク等を介して取得した画像を監視装置７に転送する。これにより、監視装置７を用いて遠隔地から監視カメラの画像のモニタリングや録画が可能になる。なお、カメラ本体２には、図示は省略するが、撮像部９を構成する撮像素子等を含む撮影を行うための基板やネットワーク系を制御する制御基板等が設けられている。
【００１９】
図４は、ロックピン１２ａを進退移動させてカメラ本体２に対するレンズユニット１のロック／ロック解除を行うロック機構を説明する斜視図である。
【００２０】
図４において、ロック部材１１は、駆動用のマグネット１１ａを有し、ロック部材１１の光軸方向被写体側には、コイル１０がマグネット１１ａに対向して設けられている。コイル１０は、不図示の電気回路を経由してシステム制御部８に接続されており、システム制御部８の指示に従って不図示の電気回路を介して通電／非通電の切り替え制御が行われ、この切り替え制御により、磁力の発生／非発生が切り替えられる。コイル１０とマグネット１１ａは、本発明の磁力発生手段の一例に相当する。
【００２１】
コイル１０との間にロック部材１１を光軸方向に挟む位置には、ロックピン１２ａが設けられたロックピン部材１２がロック部材１１と略同軸に配置され、ロック部材１１及びロックピン部材１２は、一体となって光軸方向に移動可能に設けられている。また、操作部材３には、操作部材３を押し込み操作したとき、ロック部材１１を押し込んでロックピン部材１２と共に光軸方向に移動させる軸部３ａが設けられている。ロックピン部材１２は、本発明の第１ロック部材の一例に相当し、ロック部材１１は、本発明の第１ロック部材の一例に相当する。
【００２２】
ロック部材１１とロックピン部材１２との間には、ロックピン部材１２に対してロック部材１１を図４の反時計回りの回転方向に付勢する付勢ばね１３が設けられている。付勢ばね１３は、トーションばね等により構成され、ロック部材１１及びロックピン部材１２を図４の矢印Ｚ方向である光軸方向被写体側にも付勢する。付勢ばね１３は、本発明の付勢部材の一例に相当する。
【００２３】
次に、図５及び図６を参照して、カメラ本体２に対するレンズユニット１の取り付け／取り外し方法について説明する。図５（ａ）はコイル１０が磁力を発生していない状態でのロック部材１１及びロックピン部材１２を光軸方向被写体側から見た図、図５（ｂ）は図５（ａ）の矢印Ｃ方向から見た図である。レンズユニット１の取り付け／取り外しは、監視カメラの電源がオフされているとき、及び監視装置７から監視カメラのシステム制御部８にレンズユニット１の取り付け／取り外しの指示がされたときである。
【００２４】
監視カメラの電源がオフされているときには、システム制御部８からのコイル１０への通電は行われないため、コイル１０が磁力を発生させることはない。また、監視装置７から監視カメラのシステム制御部８にレンズユニット１の取り付け／取り外しの指示がされたときは、システム制御部８は、コイル１０への非通電制御を行うため、同様に、コイル１０が磁力を発生することはない。すなわち、図５に示す状態は、カメラ本体２に対するレンズユニット１のロックが解除されている状態である。
【００２５】
このとき、前述したように、ロック部材１１は、付勢ばね１３の付勢力により、ロックピン部材１２に対して図５（ａ）の反時計回り方向（矢印Ｘ方向）に回転し、当接部１１ｄがロックピン部材１２のストッパ部１２ｂに回転方向に当接して停止している。また、ロック部材１１には、操作部材３を押し込み操作した際に軸部３ａが光軸方向に当接する第１領域１１ｂと当接しない第２領域１１ｃとが設けられている。第２領域１１ｃは、ロック部材１１に切り欠き部を形成することで、操作部材３を押し込み操作した際に軸部３ａが光軸方向に当接しないようになっている。
【００２６】
コイル１０に磁力が発生していない場合、図５（ａ）及び図５（ｂ）に示すように、ロック部材１１は、操作部材３の軸部３ａに対して第１領域１１ｂが光軸方向に対向して配置される。このため、操作部材３を押し込み操作することで、軸部３ａによりロック部材１１がロックピン部材１２と共に押し込まれ、ロックピン１２ａがマウント部５の被写体側の面から沈み込む。これにより、カメラ本体２に対するレンズユニット１の取り付け／取り外しが可能になる。
【００２７】
そして、操作部材３を押し込んだ状態でカメラ本体２に対してレンズユニット１を取り外す方向に回転させることで、バヨネット結合が解除され、マウント部５からレンズユニット１を取り外すことができる。その後、交換用のレンズユニット１をカメラ本体２のマウント部５に当て、この状態でカメラ本体２に対してレンズユニット１を取り付ける方向に回転させてバヨネット結合することで、レンズユニット１がカメラ本体２に取り付けられる。
【００２８】
レンズユニット１を取り付けた後、操作部材３から手を離すと、ロックピン部材１２は、付勢ばね１３によって光軸方向被写体側（Ｚ方向）に再度付勢される。このため、ロックピン１２ａは、マウント部５の被写体側の面から突出してレンズユニット１の挿入穴１ａに挿入され、レンズユニット１がカメラ本体２に対して回転規制される。
【００２９】
図６（ａ）はコイル１０が磁力を発生した状態でのロック部材１１及びロックピン部材１２を光軸方向被写体側から見た図、図６（ｂ）は図６（ａ）の矢印Ｄ方向から見た図である。ここでは、カメラ本体２に取り付けられたレンズユニット１をロックする動作を説明する。
【００３０】
レンズユニット１をロックする際には、ユーザ操作により監視装置７から監視カメラのシステム制御部８に対してロック指示が行われる。このとき、監視カメラのシステム制御部８は、コイル１０への通電を指示する。コイル１０に通電されると、コイル１０は磁力を発生する。本実施形態では、図６（ａ）に示すように、ロック部材１１のマグネット１１ａ側がＳ極、コイル１０の通電による磁力がＮ極となるようにしており、コイル１０に発生する磁力がロック部材１１のマグネット１１ａと引き合うようになっている。
【００３１】
前述したように、ロック部材１１は、ロックピン部材１２に対して付勢ばね１３により図６の反時計回り方向（Ｘ方向）に付勢されている。ここで、コイル１０には、付勢ばね１３の付勢方向（Ｘ方向）と逆方向（Ｙ方向）に付勢ばね１３の付勢力より大きな回転力を生じさせる磁力を発生させる。これにより、ロック部材１１は、ロックピン部材１２に対して図６（ａ）の時計回り方向（Ｙ方向）に第２領域１１ｃまで回転する。
【００３２】
第２領域１１ｃは、前述したように、操作部材３を光軸方向に押し込み操作しても軸部３ａが当接しない領域であるため、操作部材３を光軸方向に押し込み操作しても操作部材３のみが押し込まれ、軸部３ａがロック部材１１を押し込むことはない。よって、ロックピン部材１２も押し込まれることはなく、ロックピン１２ａがレンズユニット１に係合した状態が維持される。これにより、操作部材３を押し込み操作しても、レンズユニット１のロックが解除されることなく、ロック状態が維持される。
【００３３】
次に、レンズユニット１がロックされた状態（図６の状態）で停電等で監視カメラの電源がオフされた場合のロック機構の動作を説明する。
【００３４】
レンズユニット１がロックされた図６に示す状態で監視カメラの電源がオフされると、コイル１０への通電が遮断されてコイル１０に磁力が発生しなくなる。このため、ロック部材１１は、付勢ばね１３の付勢力により図６（ａ）の状態からＸ方向に回転し、図５（ａ）に示す状態になる。この状態では、レンズユニット１のロックが解除され、前述したように、カメラ本体２に対するレンズユニット１の取り付け／取り外しが可能となる。
【００３５】
以上説明したように、本実施形態では、電源のオン状態でカメラ本体２に対するレンズユニット１のロック／ロック解除が可能な監視カメラであって、ロック状態で電源が停電等でオフしても、カメラ本体２に対するレンズユニット１のロック解除が可能になる。このため、レンズユニット１を容易に取り外すことができ、停電時等にレンズユニット１を交換する際の作業性が向上する。
【００３６】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３７】
１  レンズユニット
２  カメラ本体
３  操作部材
５  マウント部
１０  コイル
１１  ロック部材
１１ａ  マグネット
１２  ロックピン部材
１２ａ  ロックピン
１３  付勢ばね
【図１】
2018013570.tif 000003
【図２】
2018013570.tif 000004
【図３】
2018013570.tif 000005
【図４】
2018013570.tif 000006
【図５】
2018013570.tif 000007
【図６】
2018013570.tif 000008